(57)【要約】    【課題】この発明は、製造コストを削減し、かつ低背化を図った同軸ケーブル用コネクタを提供する。      【解決手段】この発明では、中心コンタクト１３の下端に接続端子１３ａを形成するとともに、外部シェル１２と中心コンタクト１３とに着脱自在に嵌着し、中心コンタクト１３を環状の外部シェル１２の中心に位置決め支承するキャップ１４を具えている。    【選択図】  図４
2005158657.tif 000002
【特許請求の範囲】
【請求項１】
環状の外部シェルと円筒形の中心コンタクトとを少なくとも有し、印刷配線基板上の所定位置に電気的に接続固定される同軸ケーブル用コネクタにおいて、
前記中心コンタクトの下端に接続端子を形成するとともに、前記外部シェルと前記中心コンタクトとに着脱自在に嵌着し、前記中心コンタクトを前記環状の外部シェルの中心に位置決め支承するキャップを具えたことを特徴とする同軸ケーブル用コネクタ。
【請求項２】
前記キャップは、前記外部シェルと前記中心コンタクトとが前記印刷配線基板の所定位置に電気的に接続固定された後は、取り外されることを特徴とする請求項１に記載の同軸ケーブル用コネクタ。
【発明の詳細な説明】
【技術分野】
【０００１】
この発明は、コンピュータ、ＰＤＡ、携帯電話機等の電子機器に使用される同軸ケーブル用コネクタに関し、特に印刷配線基板の印刷配線パターンと同軸ケーブルとを電気的に接続するようにした同軸ケーブル接続用コネクタに関する。
【背景技術】
【０００２】
従来からコンピュータ、携帯電話機等の電子機器内に配設された印刷配線基板の印刷配線パターンと同軸ケーブルとを電気的に接続するためのコネクタとして、同軸ケーブル用コネクタが使用されている。
【０００３】
この同軸ケーブル用コネクタは、同軸ケーブルの一端に固着されるプラグと、印刷配線基板の印刷配線パターン上に配設され、前記同軸ケーブルのプラグを嵌着支承して電気的に接続するリセプタクルとから構成されている。
【０００４】
図６は従来の同軸ケーブル用コネクタ１を示す概念斜視図、図７はそのＡＡ断面図である。
【０００５】
この同軸ケーブル用コネクタ１は、特に同軸ケーブルの一端に固着された周知の同軸ケーブル用プラグを嵌着支承する同軸ケーブル用リセプタクル２（以下単にリセプタクルと言う）を示している。
【０００６】
このリセプタクル２は、プレス及び折り曲げ加工により形成され、同軸ケーブルの外部導体と接続する環状の外部シェル３と、同様にプレス加工により形成され、同軸ケーブルの中心導体と接続する円柱形の中心コンタクト５と、該中心コンタクト５を環状の外部シェル３の中心に位置決め固定し、これにより中心コンタクト５および外部シェル３とが互いに接触しないようにする樹脂部材７とから構成されている。なお、中心コンタクト５の下端に連設された延長部材５ｂは、図７に示すように、外部シェル３と接触しないように前記樹脂部材７内を通過して外部シェル３の外側にまで延設され、その終端に接続端子５ａが形成されている。なお、図６，７で符号３ａは外部シェル３の接続端子である。
【０００７】
そして、このリセプタクル２を印刷配線基板８に取付けるには、図８で示すように、まずリセプタクル２の各接続端子３ａ，５ａを対応する印刷配線パターン９，１０の各接続端子９ａ，１０ａ上に載置し、その後リセプタクル２の各接続端子３ａ，５ａと印刷配線パターン９，１０の対応する各接続端子９ａ，１０ａとを半田付け等の固定手段により接続固定する。
【発明の開示】
【発明が解決しようとする課題】
【０００８】
ところで、上述した従来の同軸ケーブル用コネクタ１によると、図８の要部断面図で示す図９のように、中心コンタクト５の延長部材５ｂは外部シェル３と接触しないように樹脂部材７内を嵌挿し、さらに外部シェル３の下端を通過して当該外部シェル３の外側にまで延設されているので、少なくとも外部シェル３の下端を通過する延長部材５ｂの板厚ｈ分、リセプタクル２の全高Ｈを高く設定せざるを得ず、このためリセプタクル２の全高Ｈを低く設定して、同軸ケーブル用コネクタ１全体の低背化を促進し、これにより電子機器の一層の薄型化を促進することが出来ない難点があった。
【０００９】
さらに、中心コンタクト５を外部シェル３の中心に位置決め固定するため樹脂部材７が必要で、そのため製造工程数も多く、全体としてコスト高となる難点もある。
【００１０】
この発明は、上述した事情に鑑み、製造コストを削減し、かつ低背化を図った同軸ケーブル用コネクタを提供することを目的とする。
【課題を解決するための手段】
【００１１】
上述した課題を解決するため、この発明では、環状の外部シェルと円筒形の中心コンタクトとを少なくとも有し、印刷配線基板上の所定位置に電気的に接続固定される同軸ケーブル用コネクタにおいて、前記中心コンタクトの下端に接続端子を形成するとともに、前記外部シェルと前記中心コンタクトとに着脱自在に嵌着し、前記中心コンタクトを前記環状の外部シェルの中心に位置決め支承するキャップを具えている。
【発明の効果】
【００１２】
上述した同軸ケーブル用コネクタによると、嵌着したキャップにより中心コンタクトが環状の外部シェルの中心に位置決め支承されるから、中心コンタクト位置決め用の樹脂部材が不要となって製造コストが低下し、同軸ケーブル用コネクタを安価に提供することができる。また中心コンタクトの下端に中心コンタクトの接続端子を形成するようにしたから、中心コンタクトの接続端子を外部導体の外側に延設するための延長部材も不要で、このため外部シェルの全高を低く設定して同軸ケーブル用コネクタの低背化を促進し、同軸ケーブル用コネクタを使用する電子機器の薄型化を達成することができる。
【発明を実施するための最良の形態】
【００１３】
以下、この発明に係る同軸ケーブル用コネクタの一実施例を詳述する。
【００１４】
図１はこの発明に係る同軸ケーブル用コネクタ１０を示す概念斜視図で、特に同軸ケーブルの一端に固着された周知の同軸ケーブル用プラグを嵌着支承する同軸ケーブル用リセプタクル１１（以下単にリセプタクルと言う）を示している。  
このリセプタクル１１は、図１及び図１のＢＢ断面で示す図２のように、同軸ケーブルの外部導体と接続する環状の外部シェル１２と、同軸ケーブルの中心導体と接続する円筒形の中心コンタクト１３と、この中心コンタクト１３を前記外部シェルの１２の中心位置に位置決め支承する着脱自在な円柱形のキャップ１４とから構成されている。
【００１５】
なお、このキャップ１４には、中心に前記中心コンタクト１３を嵌挿する穴１４ａが形成され、外周縁には前記環状の外部シェル１２を嵌挿する環状の溝１４ｂが形成されている。
【００１６】
一方、前記円柱形の中心コンタクト１３の下端には後述する印刷配線基板に形成された対応する印刷配線パターンの接続端子と接続する接続端子１３ａが形成されている。
【００１７】
なお、図１及び図２で符号１２ａ、１２ｂは外部シェル１２の接続端子、１２ｃはスリットで、このスリット１２ｃは図示せぬプラグが嵌着する際に、外部シェル１２が円周方向へ弾性的に伸張するためのものである。
【００１８】
次に上述したリセプタクル１１の作用を説明し、併せて構成をより詳細に説明する。
【００１９】
このリセプタクル１１を印刷配線基板に配設するには、まず図３で示すように、印刷配線基板２０に形成された印刷配線パターン２１，２２，２３の各接続端子２１ａ，２２ａ，２３ａに対応するリセプタクル１１の各接続端子１２ａ，１２ｂ，１３ａを載置する。
【００２０】
なお、印刷配線基板２０上に載置するまでの間は、外部シェル１２と中心コンタクト１３とに嵌着したキャップ１４により、中心コンタクト１３は環状の外部シェル１２の中心に位置決められているので、簡単かつ正確にリセプタクル１１を印刷配線基板２０の所定位置に位置決め配設することができることとなる。
【００２１】
その後、リフロー方式による半田付けにより、リセプタクル１１の各接続端子１２ａ，１２ｂ，１３ａを印刷配線パターン２１，２２，２３の対応する各接続端子２１ａ，２２ａ，２３ａに固着する。
【００２２】
このように、リセプタクル１１の各接続端子１２ａ，１２ｂ，１３ａを印刷配線パターン２１，２２，２３の対応する各接続端子２１ａ，２２ａ，２３ａに固着した後、図４に示すように、キャップ１４を矢印Ｃのように上動させて取り外すせば、印刷配線基板２０にリセプタクル１１が実装されることとなる。
【００２３】
上述した印刷配線基板２０に実装された本願発明に係るリセプタクル１１によると、図４の要部破断面図で示す図５のように、中心コンタクト１３はその下端に接続端子１３ａが形成され、さらにその下面に形成された印刷配線パターン２２の接続端子２２ａに半田付けされているから、図９に示す従来例の如く中心コンタクト５の接続端子５ａを外部シェル３の外側へ延設すべく当該外部シェル３の下端を通過させる延長部材５ｂが不要となるので、その全高Ｈ１（図５）は図９に示す従来のリセプタクル２の全高Ｈと比較して、少なくとも延長部材５ｂの板厚ｈ分だけ低く（Ｈ１＜Ｈ）設定することができ、このため同軸ケーブル用コネクタ１０を使用する電子機器の一層の薄型化を促進することができる。
【産業上の利用可能性】
【００２４】
以上説明したように、この発明は、製造コストの低減、および電子機器の薄型化を達成する同軸ケーブル用コネクタに適している。
【図面の簡単な説明】
【００２５】
【図１】図１はこの発明に係る同軸ケーブル用コネクタのリセプタクルを示す概念斜視図。
【図２】図２は図１のＡＡ断面図。
【図３】図３は印刷配線基板に対するこの発明のリセプタクルの取付け方法を示す概念斜視図。
【図４】図４は印刷配線基板に対するこの発明のリセプタクルの取付け方法を示す概念斜視図。
【図５】図５は図４の要部破断面図。
【図６】図６は従来の同軸ケーブル用コネクタのリセプタクルを示す概念斜視図。
【図７】図７は図１のＡＡ概念断面図。
【図８】図８は印刷配線基板に対する従来のリセプタクルの取付け方法を示す図。
【図９】図９は図８の要部断面図。
【符号の説明】
【００２６】
１０…同軸ケーブル用コネクタ
１２…外部シェル
１３…中心コンタクト
１３ａ…接続端子
１４…キャップ
２０…印刷配線基板
【図１】
2005158657.tif 000003
【図２】
2005158657.tif 000004
【図３】
2005158657.tif 000005
【図４】
2005158657.tif 000006
【図５】
2005158657.tif 000007
【図６】
2005158657.tif 000008
【図７】
2005158657.tif 000009
【図８】
2005158657.tif 000010
【図９】
2005158657.tif 000011